(57)【要約】【課題】配管の接続の自由度を向上可能な陸上ポンプを提供すること。【解決手段】陸上ポンプ１は、ベース１３と、ベース１３に固定されるモータ１１と、モータ１１に接続され、ベース１３の面方向に沿って配置される回転軸２１と、回転軸２１の先端に固定された羽根車２２と、モータ１１に固定されたケーシングカバー２４と、ケーシングカバー２４に固定され、ケーシングカバー２４とともに羽根車２２を収容するポンプ室３３を形成するポンプケーシング２３と、ポンプケーシング２３の外周面に設けられ、ポンプケーシング２３の中心軸を中心に所定の角度回転する位置に一対設けられた、ベース１３に固定される脚部３４と、を備える。【選択図】      図２
2019113036.tif 000002
【特許請求の範囲】
【請求項１】
ベースと、
前記ベースに固定されるモータと、
前記モータに接続され、前記ベースの面方向に沿って配置される回転軸と、
前記回転軸の先端に固定された羽根車と、
前記モータに固定されたケーシングカバーと、
前記ケーシングカバーに固定され、前記羽根車を挿入可能な開口を有するポンプケーシングと、
前記ポンプケーシングの外周面に設けられ、前記ポンプケーシングの中心軸周りで所定の角度離間して一対設けられた、前記ベースに固定される脚部と、
を備える陸上ポンプ。
【請求項２】
前記脚部を前記ベースに固定する締結部材をさらに備え、
前記一対の脚部は、前記締結部材が締結する雌螺子部を有する、請求項１に記載の陸上ポンプ。
【請求項３】
前記ポンプケーシングは、外周面に吐出口を有し、
前記脚部は、前記吐出口よりも前記ポンプケーシングの外周面からの高さが低く形成される、請求項１に記載の陸上ポンプ。
【請求項４】
前記脚部の端面の形状は、多角形状、円形状又は楕円形状に形成される、請求項２に記載の陸上ポンプ。
【発明の詳細な説明】
【技術分野】
【０００１】
本発明は、バックプルアウト構造の陸上ポンプに関する。
【背景技術】
【０００２】
現在、ベース上に、軸方向が水平方向に沿ってモータ、回転軸及びポンプが配置された陸上ポンプが知られている。また、モータやポンプに設けられた配管を取り外すことなく、羽根車を露出させてメンテナンスが可能なバックプルアウト構造の陸上ポンプが知られている（例えば、特許文献１参照）。
【０００３】
このようなバックプルアウト構造の陸上ポンプは、羽根車の外径よりもポンプケーシングのモータ側の開口が大径に形成され、ポンプケーシングをベースに固定することで、ポンプケーシング又はモータを軸方向に移動させることで、羽根車を外部に露出させることができる。
【先行技術文献】
【特許文献】
【０００４】
【特許文献１】特開平１１−１４８４８１号公報
【発明の概要】
【発明が解決しようとする課題】
【０００５】
上述した陸上ポンプは、ポンプケーシングの中心に吸込口が設けられ、ポンプケーシングの外周面に吐出口が設けられる。しかしながら、吐出口が低位置に固定されているため、陸上ポンプを設置する位置によっては、配管を吐出口に接続することが困難な場合がある。このような場合には、陸上ポンプの向きを調整するか、又は、配管をベントさせる必要がある。
【０００６】
しかしながら、陸上ポンプの向きを吐出口に接続する配管に合わせて調整すると、陸上ポンプを設置する空間が十分に広い空間を確保できない場合にはメンテナンス時の作業スペースの確保が困難となる場合がある。また、陸上ポンプの向きを吐出口に接続する配管に合わせて調整すると、吐出口に接続する配管の配置は容易となっても、吸込口の配管の接続が困難となる虞がある。
【０００７】
また、吐出口に接続させるために配管をベントさせると流路抵抗が増加する問題や設置作業が複雑となる虞がある。
【０００８】
そこで本発明は、配管の接続の自由度を向上可能な陸上ポンプを提供することを目的とする。
【課題を解決するための手段】
【０００９】
前記課題を解決し目的を達成するために、本発明の陸上ポンプは次のように構成されている。
【００１０】
本発明の一態様として、陸上ポンプは、ベースと、前記ベースに固定されるモータと、前記モータに接続され、前記ベースの面方向に沿って配置される回転軸と、前記回転軸の先端に固定された羽根車と、前記モータに固定されたケーシングカバーと、前記ケーシングカバーに固定され、前記羽根車を挿入可能な開口を有するポンプケーシングと、前記ポンプケーシングの外周面に設けられ、前記ポンプケーシングの中心軸周りで所定の角度離間して一対設けられた、前記ベースに固定される脚部と、を備える。
【発明の効果】
【００１１】
本発明によれば、配管の接続の自由度を向上可能な陸上ポンプを提供することが可能となる。
【図面の簡単な説明】
【００１２】
【図１】本発明の一実施形態に係る陸上ポンプの構成を一部断面で示す側面図。
【図２】同陸上ポンプの構成を示す正面図。
【図３】同陸上ポンプの構成であって、使用の一例を示す正面図。
【発明を実施するための形態】
【００１３】
以下、本発明の一実施形態に係る陸上ポンプ１を、図１乃至図３を用いて説明する。  
図１は本発明の一実施形態に係る陸上ポンプ１の構成を一部断面で示す側面図、図２及び図３は、陸上ポンプ１の構成をポンプ１２の正面から示す図であって、それぞれ異なる配置でポンプケーシング２３をベース１３に固定した図である。
【００１４】
図１に示すように、陸上ポンプ１は、モータ１１と、ポンプ１２と、モータ１１及びポンプ１２を固定するベース１３と、を備える。陸上ポンプ１は、所謂バックプルアウト式の横軸ポンプである。陸上ポンプ１は、モータ１１及びベース１３の固定、並びに、ポンプ１２及びベース１３の固定の一方を解除し、固定されたモータ１１又はポンプ１２に対して固定が解除されたポンプ１２又はモータ１１を軸方向に移動させることでモータ１１とポンプ１２との接続を解除可能に構成される。
【００１５】
モータ１１は、モータケーシング内に固定子と、固定子により回転する回転子と、を備える。モータ１１は、回転子に回転軸２１が接続される。また、モータ１１は、モータケーシングに、締結部材９９を締結する被締結部１１ａを備える。モータ１１は、回転軸２１が水平方向となる姿勢で、ベース１３に固定される。
【００１６】
ポンプ１２は、回転軸２１と、回転軸２１に固定される羽根車２２と、羽根車２２を収容するポンプケーシング２３と、ポンプケーシング２３を覆うケーシングカバー２４と、プラグ２５と、を備える。
【００１７】
回転軸２１は、例えば、モータケーシング内にベアリング等の軸受を介して回転自在に支持される。羽根車２２は、回転軸２１の先端に固定され、ポンプケーシング２３内に配置される。
【００１８】
図２に示すように、ポンプケーシング２３は、吸込口３１と、吐出口３２と、ポンプ室３３と、２組の脚部３４と、取付部３５と、を備える。また、ポンプケーシング２３は、その内径が羽根車２２の全長より大きく形成される。ポンプケーシング２３は、軸方向で一方側に吸込孔が設けられるとともに、他方側に羽根車２２の外径よりも内径が大きい開口２３ａを有する。
【００１９】
吸込口３１は、ポンプケーシング２３の軸方向で一方側の端面に設けられる。吸込口３１は、例えば、回転軸２１の中心軸と同軸となるよう配置される。
【００２０】
吐出口３２は、ポンプケーシング２３の外周面に設けられ、吐出口３２の中心軸が吸込口３１の中心軸に対して直交する位置に配置される。
【００２１】
ポンプ室３３は、ポンプケーシング２３にケーシングカバー２４が接続されることで、ケーシングカバー２４と共に構成される。ポンプ室３３は、羽根車２２を収容可能に形成される。また、ポンプ室３３は、例えば、羽根車２２により増圧された流体を圧送可能なボリュート形状に形成される。
【００２２】
脚部３４は、ポンプケーシング２３の外周面に設けられ、例えば、一対の脚４１により形成される。２組の脚部３４は、ポンプケーシング２３の中心軸周りで所定の角度だけ離間して配置される。
【００２３】
２組設けられる脚部３４の一方の脚部３４Ａは、ベース１３に固定されることで、吐出口３２をポンプケーシング２３の軸周りで所定の方向に位置する第１位置に配置する。例えば、一方の脚部３４Ａは、吐出口３２に対し吸込口３１の中心軸周りに所定の角度回転した位置に、具体的には、９０度回転した位置に形成される。
【００２４】
２組設けられる脚部３４の他方の脚部３４Ｂは、ベース１３に固定されたときに、吐出口３２をポンプケーシング２３の軸周りで所定の方向であって、且つ、第１位置と当該軸周りで離間する第２位置に配置する。例えば、他方の脚部３４Ｂは、所望される吐出口３２の配置角度に合わせ、脚部３４Ａに対し吸込口３１の中心軸周りに所定の角度回転した位置に形成される。具体例として、脚部３４Ｂは、脚部３４Ａに対し吸込口３１の中心軸周りに９０度回転した位置に設けられる。
【００２５】
脚４１は、端面が多角形状、円形状、または楕円形状に形成される。また、一対の脚４１は、吸込口３１の中心軸からそれぞれの端面までの距離を全て同一に形成される。なお、脚４１は、ポンプケーシング２３の外周面からの高さが吐出口３２の高さに比べ低く形成される。脚４１は、それぞれ締結部材９９が締結される雌螺子部４１ａを備えるか、または、締結部材９９を挿入可能な挿入孔を備える。
【００２６】
取付部３５は、プラグが着脱可能に構成される。取付部３５は、ポンプ室３３の内周面側に対向する位置であって、且つ、脚部３４Ａ及び脚部３４Ｂ付近のポンプケーシング２３の端面に、それぞれ１つずつ設けられる。取付部３５は、例えば、ポンプケーシング２３の吸込口３１が設けられる主面であって、且つ、一対の脚４１の中間にそれぞれ設けられる。例えば、二つの取付部３５のうち、ポンプケーシング２３をベース１３に固定したときに下方となる一方が、穿孔されて雌ねじが切られることでプラグ２５を取り付け可能な孔部３５ａを有する。また例えば、二つの取付部３５のうち他方は、穿孔されず、プラグ２５が取り付けられない。なお、二つの取付部３５は、双方ともに孔部３５ａが形成されていてもよい。
【００２７】
２つの取付部３５のうち、ポンプケーシング２３をベース１３に固定した状態において下方に位置する取付部３５は、ポンプケーシング２３の内外を連通する開口である孔部３５ａを備える。
【００２８】
ケーシングカバー２４は、ポンプケーシング２３と着脱可能に接続される。ケーシングカバー２４は、ポンプケーシング２３を覆うことでポンプ室３３を形成する。また、ケーシングカバー２４はモータ１１に接続される。
【００２９】
ベース１３は、締結部材９９が締結する複数の被締結部１３ａを備える。締結部材９９は、例えばボルトである。ベース１３は、締結部材９９の締結により、モータ１１の備える被締結部１１ａ、及び、脚４１の備える雌螺子部４１ａを着脱可能に固定する。換言すると、モータ１１及びポンプケーシング２３は、締結部材９９の締結により、ベース１３に着脱可能に固定される。
【００３０】
以下、陸上ポンプ１の組立方法の一例を説明する。  
陸上ポンプ１の組立方法として、先ず、ユーザは、締結部材９９により、ケーシングカバー２４が接続されたモータ１１の被締結部及びベース１３の締結部を連結し、ベース１３上にモータ１１を固定する。
【００３１】
次に、ユーザは、ポンプケーシング２３の備える２組の脚部３４のうち、任意の脚部３４、例えば、一方の脚部３４Ａの端面がベース１３の面に接するように、当該任意の脚部３４が下方となるように、ポンプケーシング２３をベース１３上に配置する。そして、ポンプケーシング２３を軸方向に移動させることで、ポンプケーシング２３及びケーシングカバー２４を接続する。これにより、ポンプケーシング２３は、図２に示すように、脚部３４Ａの端面がベース１３の面に接するように配置される。
【００３２】
続いて、ユーザは、締結部材９９により、脚４１に設けられた雌螺子部４１ａ、及び、ベース１３の被締結部１３ａを連結し、ベース１３上にポンプケーシング２３を固定する。また、ユーザは、脚部３４Ａ付近に設けられた孔部３５ａを有する取付部３５にプラグ２５を取り付ける。以上により、陸上ポンプ１が組み立てられる。
【００３３】
なお、図２に示すように、本実施形態における陸上ポンプ１は、脚部３４Ａをベース１３上に固定し、吐出口３２の開口の軸が水平方向に向いた、横吐き出しの状態を標準品として説明した。
【００３４】
このように構成された陸上ポンプ１は、一対の脚４１により構成される脚部３４を、ポンプケーシング２３の中心軸周りで所定の角度離間して、換言すると、同中心軸周りで周方向に離間して二箇所に設ける構成とした。この構成により、陸上ポンプ１は、吐出口３２を配置する姿勢で、ポンプケーシング２３の下方に位置する一方の脚部３４をベース１３に固定することで、二方向のうち任意の方向に吐出口３２を配置することができる。
【００３５】
例えば、陸上ポンプ１を設置する現場において、当該二方向のうち、任意の方向を決定する場合には、二つの取付部３５の双方に孔部３５ａを設けることで、設置状況に応じて陸上ポンプ１の吐出口３２の方向を設定できる。また、陸上ポンプ１の吐出口３２の方向が予め分かる場合には、二つの取付部３５のうち一方に孔部３５ａを設けておけば良い。即ち、陸上ポンプ１は、設置現場において吐出口３２の位置を変更することが可能である。
【００３６】
また、陸上ポンプ１は、予め吐出口３２の位置を決める場合には、ベース１３に固定した姿勢でポンプケーシング２３の下方に位置する取付部３５に孔部３５ａを形成すればよく、吐出口３２の位置が異なるポンプケーシング２３を同じ部品で構成することができる。このため、部品の共用化が可能となることから、陸上ポンプ１は、製造コストを安価とすることができる。即ち、ポンプケーシング２３は、取付部３５に穿孔し、ねじ切りする孔部３５ａを設ける位置を変えるだけで、横吐き出し及び縦吐き出しを任意に選択することができる。
【００３７】
このように構成された陸上ポンプ１によれば、孔部３５ａを除いて同一の形状のポンプケーシング２３を用いることで、任意にポンプ１２の吐出方向を選択することができる。これにより、陸上ポンプ１は、設置条件に合わせて吐出方向を選択可能であることから、陸上ポンプ１に接続される配管の自由度を向上させることができる。
【００３８】
また、陸上ポンプ１は、設置現場で吐出口３２の方向を変えたい場合には、予め２つの取付部３５に孔部３５ａを形成するとともに、脚４１に雌螺子部４１ａを設ける構成とする、締結部材９９の締結のみでベース１３とポンプケーシング２３との連結が可能であり、吐出方向の変更の作業が容易である。
【００３９】
また、陸上ポンプ１は、２組設けられる脚部３４のうち、ベース１３に固定されていない方の脚部３４には、銘板やラベルを貼り付けるといった運用が可能である。
【００４０】
上述したように本発明の一実施形態に係る陸上ポンプ１によれば、脚部３４をポンプケーシング２３の軸周りで所定の角度離間した二箇所に設けることで、吐出口３２の位置を変えることができることから、配管の接続の自由度を向上することができる。
【００４１】
なお、本発明は、上記実施形態に限定されるものではなく、実施段階ではその要旨を逸脱しない範囲で種々に変形することが可能である。
【００４２】
例えば、本実施形態においては、回転軸２１が水平に配置される例を説明したが、これに限定されない。回転軸２１は、例えば、軸方向が水平から所定の角度傾斜した状態で配置されてもよい。このとき、ポンプケーシング２３は、回転軸２１の傾斜と同等の角度に傾斜して配置される。ここで、ポンプケーシング２３に設けられる脚部３４は、ポンプケーシング２３が所定の角度傾斜した状態でベース１３に固定可能となる形状に適宜設計される。
【００４３】
また、本実施形態においては、吐出口３２に対し吸込口３１の中心軸周りに９０度回転させた位置に脚部３４Ａを、また、吐出口３２に対し吸込口３１の中心軸周りに１８０度回転させた位置に脚部３４Ｂを配置する例を説明したが、これに限定されない。脚部３４を設ける位置は、所望される陸上ポンプ１の吐出方向に合わせ、適宜設定可能である。
【００４４】
また、脚４１は、雌螺子部４１ａを備え、締結部材９９によりベース１３と連結される例を説明したが、ベース１３と着脱可能に固定される構成あればこれに限定されない。ただし、脚４１は、ベース１３との着脱の作業を容易にするため、本実施形態に示すように、締結部材９９による連結を可能にする雌螺子部４１ａを設けた構成が好適である。
【００４５】
また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００４６】
１…陸上ポンプ、１１…モータ、１１ａ…被締結部、１２…ポンプ、１３…ベース、１３ａ…被締結部、２１…回転軸、２２…羽根車、２３…ポンプケーシング、２４…ケーシングカバー、２５…プラグ、３１…吸込口、３２…吐出口、３３…ポンプ室、３４…脚部、３４Ａ…脚部、３４Ｂ…脚部、３５…取付部、３５ａ…孔部、４１…脚、４１ａ…雌螺子部、９９…締結部材。
【図１】
2019113036.tif 000003
【図２】
2019113036.tif 000004
【図３】
2019113036.tif 000005